(57)【要約】【課題】  サイズの大きな画像データを大勢の相手に容易に配布することができる撮影装置を提供する。【解決手段】  まず、利用者により操作入力部１４が操作されて、撮影装置１０が撮影された画像データを表示部２２で再生するための再生モードに切り替えられる（ステップＳ３０）。次に、再生する画像が選択されると（ステップＳ３２）、選択された画像、及びこの画像に対応する画像情報符号が表示部２２に表示され（ステップＳ３４）、画像が配布される相手（配布先）に提示される。その次に、この配布先のデジタルカメラやカメラ付き携帯電話等の端末によって画像情報符号が撮影され、この画像情報符号３４が解析されることにより、撮影者のウェブページのＵＲＬや電子メールアドレスが読み込まれる。そして、撮影者のウェブページや電子メールを利用することにより、配布先が大勢であっても容易に画像を配布することができる。【選択図】      図４
2006086858.tif 000002
【特許請求の範囲】
【請求項１】
画像データを記憶する画像記憶手段と、
前記画像データに付随する付属情報、又はあらかじめ記憶された撮影者情報のうち少なくとも一方を符号化して画像情報符号を生成する画像情報符号生成手段と、
前記画像データと前記画像情報符号を表示する表示手段と、
を備えることを特徴とする撮影装置。
【請求項２】
前記付属情報は、前記画像データの撮影日時、撮影条件、ＧＰＳ情報、ファイル名、ファイル形式、又は画像サイズのうち少なくとも１つを含み、
前記撮影者情報は、前記撮影者のＵＲＬ、電子メールアドレス又は電話番号のうち少なくとも１つを含むことを特徴とする請求項１記載の撮影装置。
【請求項３】
前記画像記憶手段は、前記画像情報符号を前記画像データと関連付けて記憶することを特徴とする請求項１又は２記載の撮影装置。
【請求項４】
前記撮影者情報を入力する情報入力手段を更に備えることを特徴とする請求項１から３のいずれか１項記載の撮影装置。
【請求項５】
前記画像情報符号は、２次元バーコードであることを特徴とする請求項１から４のいずれか１項記載の撮影装置。
【発明の詳細な説明】
【技術分野】
【０００１】
本発明は撮影装置に関する。
【背景技術】
【０００２】
近年、ＵＲＬや電子メールアドレス、電話番号等の文字情報を２次元バーコードに記録して利用する技術が開発されている。例えば、特許文献１には、被写体を撮影して画像データを形成するデジタルカメラ部を備え、インターネットに接続可能であって、デジタルカメラ部で撮影された文字又は２次元バーコードの画像データを信号処理して文字情報を取得する信号処理手段を有する携帯電話端末について開示されている。特許文献１によれば、２次元バーコードを利用することにより文字情報の入力が容易になる。
【特許文献１】特開２００３−１９８６７４号公報（請求項２等）
【発明の開示】
【発明が解決しようとする課題】
【０００３】
ところで、旅行時等に撮影された写真（集合写真やスナップ写真等）は、プリントされて撮影装置の所有者（撮影者）から撮影された人の元に配布されるまで時間がかかる。上記特許文献１に開示された携帯電話端末によれば、ＵＲＬや電子メールアドレスの入力が容易であるため、ウェブや電子メールを介して画像データの受け渡しを行うことができる。しかしながら、画像データのサイズが大きい場合や、集合写真のように配布する相手（配布先）が大勢の場合には、画像データの受け渡しが面倒であった。
【０００４】
本発明はこのような事情に鑑みてなされたもので、サイズの大きな画像データを大勢の相手に容易に配布することができる撮影装置を提供することを目的とする。
【課題を解決するための手段】
【０００５】
上記目的を達成するために請求項１に係る撮影装置は、画像データを記憶する画像記憶手段と、前記画像データに付随する付属情報、又はあらかじめ記憶された撮影者情報のうち少なくとも一方を符号化して画像情報符号を生成する画像情報符号生成手段と、前記画像データと前記画像情報符号を表示する表示手段とを備えることを特徴とする。
【０００６】
請求項１に係る撮影装置によれば、画像データとともに画像情報符号を表示させて、画像データを配布する相手に所望の画像データに対応する画像情報符号を撮影させることにより、画像データがアップロードされるウェブページのＵＲＬや撮影者の電子メールアドレス等を容易に配布することができる。これにより、画像データの配布が容易となる。容量の大きな画像データを大勢に容易に配布できる。
【０００７】
請求項２に係る撮影装置は、請求項１において、前記付属情報は、前記画像データの撮影日時、撮影条件、ＧＰＳ情報、ファイル名、ファイル形式、又は画像サイズのうち少なくとも１つを含み、前記撮影者情報は、前記撮影者のＵＲＬ、電子メールアドレス又は電話番号のうち少なくとも１つを含むことを特徴とする。
【０００８】
請求項３に係る撮影装置は、請求項１又は２において、前記画像記憶手段は、前記画像情報符号を前記画像データと関連付けて記憶することを特徴とする。
【０００９】
請求項３に係る撮影装置によれば、画像データの再生の都度画像情報符号を生成する必要がないため、画像データと画像データに対応する画像情報符号をすぐに読み込むことができる。
【００１０】
請求項４に係る撮影装置は、請求項１から３において、前記撮影者情報を入力する情報入力手段を更に備えることを特徴とする。
【００１１】
請求項４に係る撮影装置によれば、撮影者情報を撮影装置に直接入力することができる。
【００１２】
請求項５に係る撮影装置は、請求項１から４において、前記画像情報符号は、２次元バーコードであることを特徴とする。
【発明の効果】
【００１３】
本発明によれば、画像データとともに、撮影者情報や付属情報（EXIFタグ情報）が記録された画像情報符号を表示させて、画像データを配布する相手に所望の画像データに対応する画像情報符号を撮影させることにより、画像データがアップロードされるウェブページのＵＲＬや撮影者の電子メールアドレス等を容易に配布することができる。これにより、容量の大きな画像データを大勢に容易に配布できる。
【発明を実施するための最良の形態】
【００１４】
以下、添付図面に従って本発明に係る撮影装置の好ましい実施の形態について説明する。
【００１５】
図１は、本発明の一実施形態に係る撮影装置を示すブロック図である。図１に示す撮影装置１０は、システム制御部１２と、操作入力部１４と、情報取得部１６と、信号処理部１８と、記憶部２０と、表示部２２とを備えている。
【００１６】
操作入力部１４は、レリーズスイッチや各種設定ボタン等の操作入力手段を含むブロックである。
【００１７】
情報取得部１６は、画像撮影手段２４と、撮影者情報入力手段２６とを備えている。画像撮影手段２４は、被写体を撮影する光学系や撮像素子等を含む装置である。また、撮影者情報入力手段２６は、撮影者の個人情報（例えば、撮影者のウェブページのＵＲＬや電子メールアドレス、電話番号等。以下、撮影者情報という）を入力するための装置である。なお、この撮影者情報入力手段２６としては、例えば、キーボード等のキー入力手段や、撮影者情報が記載された用紙等が画像撮影手段２４により撮影された際に、画像を解析してテキストデータに変換する手段（ＯＣＲ）、撮影者情報が記録された２次元コード等（ＱＲコード）を撮影することにより撮影者情報の入力を行う手段等を用いることができる。なお、この撮影者情報は、例えば、撮影者のパーソナルコンピュータ等と撮影装置１０を接続して入力するようにしてもよい。
【００１８】
信号処理部１８は、情報取得部１６により取得された情報を処理するためのブロックであり、画像撮影手段２４により撮影された画像データを所定のフォーマットに変換する。なお、信号処理部１８は、上記の撮影者情報や、画像データに付随する付属情報を符号化する画像情報符号生成手段２８を備えている。ここで、付属情報は、例えば、画像データに付随するEXIFタグ情報であり、画像データの撮影日時や撮影条件、ＧＰＳ情報（ＧＰＳ機能を有するカメラの場合）、ファイル名、ファイル形式、画像サイズ等の情報を含んでいる。
【００１９】
記憶部２０は、画像データ及びその付属情報のほか、撮影者情報入力手段２６により入力された撮影者情報や、画像情報符号生成手段２８により生成された画像情報符号が記憶されるブロックであり、例えば、内蔵のフラッシュメモリやメモリカード等である。
【００２０】
表示部２２は、撮影時に画角確認用の電子ファインダーとして使用されるとともに、撮影された画像のプレビュー画の表示や、記憶部２０から読み出された画像データ等が再生に用いられるモニタ（例えば、ＬＣＤモニタ）である。さらに、表示部２２は、画像情報符号を表示するための画像情報符号表示手段３０を含んでいる。
【００２１】
次に、撮影装置１０に撮影者情報を登録する方法について説明する。図２は、撮影者情報の登録方法を示すフローチャートである。
【００２２】
まず、撮影者により操作入力部１４が操作されて、撮影装置１０が撮影者情報の登録を行うための情報入力モードに切り替えられる（ステップＳ１０）。次に、撮影者情報入力手段２６により撮影者情報が入力されて記憶部２０に記憶される（ステップＳ１２）。これにより、撮影者情報（例えば、撮影者のウェブページのＵＲＬや電子メールアドレス、電話番号等）が撮影装置１０に登録される。
【００２３】
次に、画像情報符号の生成方法について説明する。図３は、画像情報符号の生成方法を示すフローチャートである。
【００２４】
まず、撮影装置１０により画像が撮影されると（ステップＳ２０）、画像データとともに、画像データに付随する付属情報（例えば、画像データの撮影日時や撮影条件、ＧＰＳ情報（ＧＰＳ機能を有するカメラの場合）、ファイル名、ファイル形式、画像サイズ等）が記憶部２０に記憶される（ステップＳ２２）。次に、画像情報符号生成手段２８により、撮影装置１０にあらかじめ登録された撮影者情報や、画像データの付属情報が符号化されて、画像情報符号が生成される（ステップＳ２４）。そして、この画像情報符号は、画像データと関連付けられて記憶部２０に保存される（ステップＳ２６）。これにより、撮影者情報や画像データの付属情報が記録された画像情報符号が生成される。
【００２５】
次に、撮影装置１０により撮影された画像データを配布する方法について説明する。図４は、画像データの配布方法を示すフローチャートである。
【００２６】
まず、撮影者により操作入力部１４が操作されて、撮影装置１０が撮影された画像データを表示部２２で再生するための再生モードに切り替えられる（ステップＳ３０）。次に、再生する画像が選択されると（ステップＳ３２）、選択された画像、及びこの画像に対応する画像情報符号が表示部２２に表示される（ステップＳ３４）。
【００２７】
図５は、画像データ配布時の表示部２２を示す平面図である。図５に示すように、表示部２２には、画像データ３２とともに画像情報符号３４が表示されて、配布先（例えば、画像データ３２に写っている人や撮影者と一緒にいる人）に提示される。次に、この配布先のデジタルカメラやカメラ付き携帯電話等の端末によって画像情報符号３４が撮影される。そして、この配布先の端末又は端末と接続されたＰＣ等によって、この画像情報符号３４が解析されて、撮影者のウェブページのＵＲＬが読み込まれ、撮影者のウェブページにアクセスされる。撮影者はウェブページに画像データ３２をアップロードしておくことにより、画像データの容量が大きい場合や、配布先が大勢の場合であっても容易に画像データを配布することができる。
【００２８】
なお、画像情報符号３４に記録されるＵＲＬは、撮影者のウェブページのトップページのＵＲＬであってもよいし、画像データのフルパスを含むＵＲＬであってもよい。画像データのフルパスを用いる場合には、画像データの付属情報のファイル名に基づいてウェブ上の画像データまでのパスを自動生成させるようにしてもよい。
【００２９】
また、上記では、撮影者のウェブページを介して画像データ３２が配布されるようにしたが、例えば、画像情報符号３４に記録された撮影者の電子メールアドレスに配布先が電子メールを送ることにより、返信メールの添付ファイルとして配布されるようにしてもよい。
【００３０】
また、図５では画像情報符号３４としてＱＲコードが用いられているが、本実施形態はこれに限定されるものではなく、例えば、１次元バーコードや他の２次元バーコードでもよい。
【図面の簡単な説明】
【００３１】
【図１】本発明の一実施形態に係る撮影装置を示すブロック図
【図２】撮影者情報の登録方法を示すフローチャート
【図３】画像情報符号の生成方法を示すフローチャート
【図４】画像データの配布方法を示すフローチャート
【図５】画像データ配布時の表示部２２を示す平面図
【符号の説明】
【００３２】
１０…撮影装置、１２…システム制御部、１４…操作入力部、１６…情報取得部、１８…信号処理部、２０…記憶部、２２…表示部、２４…画像撮影手段、２６…撮影者情報入力手段、２８…画像情報符号生成手段、３０…画像情報符号表示手段、３２…画像データ、３４…画像情報符号
【図１】
2006086858.tif 000003
【図２】
2006086858.tif 000004
【図３】
2006086858.tif 000005
【図４】
2006086858.tif 000006
【図５】
2006086858.tif 000007